(57)【要約】【課題】スイングプレーンはゴルフスイングに重要な要素であるがスイング中に自分で確認するのが難しい。ゴルファーが練習するときに自分でスイングプレーンを確認できればスイングの改善に有効である。本発明は練習中に自分でスイングプレーンを確認するための練習器具を提供する。【解決手段】  ゴルファーの飛球線後方で、飛球線とほぼ直角のスイングプレーン面上にスイングプレーンガイド棒を設置して、スイングプレーンを視覚的に確出来るようにし、実際のスイングがスイングプレーンに乗ったスイングとなるように視覚的に確認できるようにする。【選択図】図３
2010082409.tif 000002
【特許請求の範囲】
【請求項１】
ゴルファーの飛球線後方に設置し、飛球線とほぼ直角で且つスイングプレーンの面の一部を表示するスイングプレーンガイド棒と、その支持台より構成するゴルフスイング練習器具
【請求項２】
スイングプレーンを表示するスイングプレーンガイド棒がゴルファーの飛球線後方且つ飛球線とほぼ直角に設置され、地面とのなす角度が５０度から７０度の範囲内で調整可能としたゴルフスイング練習器具。
【請求項３】
スイングプレーンガイド棒と支持台のなす角度の調節がガイド棒に取り付けられた角度調節棒と支持台に開けられたいくつかの穴に差込んで角度を変えられるようにした請求項１のゴルフスイング練習器具。
【請求項４】
スイングプレーンガイド棒が金属やグラスファイバープラスチックの棒又は伸縮可能な棒又は折りたたみの棒で構成する請求項１のゴルフ練習器具。
【請求項５】
請求項１のスイングプレーンガイド棒をゴルファー側に同じスイングプレーン面上に傾斜させることを可能としたゴルフスイング練習器具。
【発明の詳細な説明】
【技術分野】
【０００１】  この発明は、ゴルフスイングの効果的な練習をするための練習器具を提供する。
【背景技術】
【０００２】  従来のゴルフのスイングプレーンを練習する為の用具は、ゴルファーの周囲にループ状のガイドレールを設置し、そのガイドレールの傾斜角度を調整できるようにしてスイングプレーンを形成し、スイングをガイドレールに沿って行わせるものであったが携帯には不向きであった。ガイドレールに沿って練習クラブが移動するため、理想的なスイング軌道の習得は出来るが自分のスイングのチェックをするものではなかった。
又、ゴルファーの正面にスイングプレーンに沿って傾斜させたポールを設置し、ゴルフクラブのスイングプレーンとのチェックを行うものがあるが、ゴルファーの正面でのスイングプレーンのチェックは行えるが、バックスイング途中のスイングプレーンのチェックは難しかった。
【特許文献１】  特公平７−８７８６８号  公報
【特許文献２】  実用新案  第３０３３７２２号
【発明が解決しようとする課題】
【０００３】  上記に鑑み、バックスイング中のスイングプレーンのチェックを視覚的にできるようにし、ゴルフバックにも入れられるような携帯性を持たせて、ゴルファーが練習場等でスイングプレーンのチェックを自分で出来るようにする練習器具を提供しようとするものである。
【課題を解決するための手段】
【０００４】  以上の課題を解決するために、スイングプレーンと同一の面を表示するスイングプレーンガイド棒を設置することにより、視覚的に実際のスイングとスイングプレーンとのずれ（クラブシャフトの角度及びクラブヘッドとスイングプレーンとの距離）を自分で確認できるようにする。この為、以下を提供する。
ゴルファーの飛球線後方に設置し、飛球線とほぼ直角で且つスイングプレーンの面の一部を表示するスイングプレーンガイド棒と、その支持台より構成するゴルフスイング練習器具
スイングプレーンを表示するスイングプレーンガイド棒がゴルファーの飛球線後方且つ飛球線とほぼ直角に設置され、地面とのなす角度が５０度から７０度の範囲内で調整可能としたゴルフスイング練習器具。
スイングプレーンガイド棒と支持台のなす角度の調節がガイド棒に取り付けられた角度調節棒と支持台に開けられたいくつかの穴に差込んで角度を変えられるようにした請求項１のゴルフスイング練習器具。
スイングプレーンガイド棒が金属やグラスファイバープラスチックの棒又は伸縮可能な棒又は折りたたみの棒で構成する請求項１のゴルフ練習器具。
請求項１のスイングプレーンガイド棒をゴルファー側に同じスイングプレーン面上に傾斜させることを可能としたゴルフスイング練習器具。
【発明の効果】
【０００５】  バックスイング時にゴルフクラブがスイングプレーンに対してどのように上がってゆくかが視覚的に確認でき、クラブヘッドとスイングプレーンガイド棒が示すスイングプレーンとの角度差や高さのずれが確認できるため、よりスイングプレーンに乗ったスイングを効果的に練習できる。
【発明を実施するための最良の形態】
【０００６】  この発明におけるゴルファー（６）と本練習器具の位置関係及び一実施形態を図１、２、３に示す。図２に示すように、本練習器具はゴルファーの約１．０ｍから２．５ｍ飛球線後方（８）で且つ飛球繰とほぼ直角にスイングプレーンガイド棒（３）を設置し、バックスイング時にクラブヘッド（５）が本練習器具と接触しない位置とする。図１においてスイングプレーン（５）はクラブヘッド（１０）の通る面を示し、シャフトプレーン（７）はアドレス時のゴルフクラブ（４）と地面のなす角を示す。スイングプレーン（５）はシャフトプレーン（７）より上に位置するためバックスイング時に高さ方向でもクラブヘッド（１０）はスイングプレーンガイド棒（３）と接触しない。図４はスイングプレーンガイド棒（３）を示し１本の金属棒やグラスファイバー製の棒も可能であるが、伸縮可能な棒が携帯に便利である。スイングプレーンガイド棒（３）の長さは長すぎるとダウンスイング時に接触する可能性が出てくるため、１．０ｍから１．５ｍ程度が適当である。図５に示す角度調節棒（２）はスイングプレーンガイド棒（３）に固定され、支持台（１）に開けられたいくつかの角度調節穴（１２）に差し替えることにより、スイングプレーンガイド棒（３）の地面との角度を５０度から７０度の範囲で複数角度の調節ができる。スイングプレーンガイド棒（３）と支持台（１）は蝶番（１１）等によって接続される。
【実施形態の効果】
【０００７】  この実施形態によれば、バックスイング時にゴルフクラブ（４）がスイングプレーンガイド棒（３）に対してどのように上がってゆくかが、スイングプレーンガイド棒（３）と接触することなく視覚的に確認でき、クラブヘッド（１０）やクラブシャフト（４）とスイングプレーンガイド棒（３）が示すスイングプレーン（５）との角度差や高さのずれが確認できる。
【他の実施形態】
【０００８】  図６に示すようにゴルファー（６）の飛球線後方に、且つ飛球線と直角に設置していたスイングプレーンガイド棒（３）を飛球線側のスイングプレーン面上（５）に倒すことにより、スイングプレーンガイド棒（３）をよりスイングするゴルフクラブ（４）と近づけることができ、スイングプレーン（５）を確認し易くできる。支持台との接続はスイングプレーンガイド棒が上下左右に角度を変えられる形に接続する。図７はスイングプレーンガイド棒の角度が固定式のもので支持台の受口が差込みタイプのものを示す。
【図面の簡単な説明】
【０００９】
【図１】本発明の一実施形態を示す側面図
【図２】本発明の平面図
【図３】本発明の斜視図
【図４】伸縮棒によるスイングプレーンガイド棒
【図５】支持台及び角度調節棒の側面図並びに平面図
【図６】スイングプレーンガイド棒をスイングプレーン面上でゴルファー側に傾斜させた平面図
【図７】差込式の支持台
【符号の説明】
【００１０】１  支持台            ２  角度調節棒        ３  スイングプレーンガイド棒
４  ゴルフクラブ      ５  スイングプレーン  ６  ゴルファー
７  シャフトプレーン  ８  飛球線後方        ９  クラブヘッド軌跡
１０  クラブヘッド    １１  蝶番            １２  角度調節用の穴
１３  スイングプレーンガイド棒の差込口
【図１】
2010082409.tif 000003
【図２】
2010082409.tif 000004
【図３】
2010082409.tif 000005
【図４】
2010082409.tif 000006
【図５】
2010082409.tif 000007
【図６】
2010082409.tif 000008
【図７】
2010082409.tif 000009